(57)【要約】      （修正有）【課題】サドルとハンドルとの間に配置されるキャリアをサドルの後方に転回することができる自転車用キャリア取付手段を提供する。【解決手段】シートポストの下側またはシートチューブの上側に取り付けるクランプ１８とクランプ１８から延びる支持竿１９とを備える支持部と、一対の接続金具１４と、水平竿１５と、シートポストに取り付けるシートポストクランプ１７とを備え、シートポストクランプ１７の前側と水平竿１５の後端部とは前後方向に回転自在に接続され、水平竿１５の中央付近の左右両側と接続金具１４の上側の端部とは前後方向に回転自在に接続され、接続金具１４の下側の端部と支持竿１９の前端部の左右両側とは前後方向に回転自在に接続されている。【選択図】図１
2018154246.tif 000002
【特許請求の範囲】
【請求項１】
自転車のサドルとハンドルとの間に配置される自転車用キャリアを自転車に取り付けるための自転車用キャリア取付手段であって、前記自転車用キャリア取付手段は、支持部と、左右一対の接続金具と、水平竿と、自転車のシートポストに回転自在に取り付けて固定及び固定解除が可能なシートポストクランプとを備え、前記支持部は、自転車のシートポストの下側またはシートチューブの上側に回転自在に取り付けて固定及び固定解除が可能なクランプと、前記クランプの前側から自転車のハンドルに向かって延びる支持竿とを備え、前記シートポストクランプの前側と前記水平竿の後端部とは前後方向に回転自在に接続され、前記水平竿の中央付近の左右両側と前記接続金具の上側の端部とは前後方向に回転自在に接続され、前記接続金具の下側の端部と前記支持竿の前端部の左右両側とは前後方向に回転自在に接続され、自転車のサドルとハンドルとの間に配置される自転車用キャリアを、自転車のシートポストまたはシートチューブを軸心にサドルの後方に転回することができることを特徴とする自転車用キャリア取付手段。
【発明の詳細な説明】
【技術分野】
【０００１】
本発明は、自転車用キャリア取付手段に関する。
【背景技術】
【０００２】
従来、自転車のサドルとハンドルとの間に配置される自転車用キャリア取付手段に関する技術として、幼児座席（Infant seat assembly）やペットキャリア（Pet carrier）などの種々のタイプのキャリアの自転車への取付を容易にする装置として、自転車のサドルとハンドルとの間に取り付ける自転車取付キャリアのための支持台で、この支持台は、ハンドルに隣接する筒部材を把持するための第一のクランプと、第一のクランプの後方にある筒部材を把持するための第二のクランプと、互いに滑り可能に係合する第一及び第二のアームであって第一のアームがキャリアを支持し、第二のアームが末端部から基端部に延びる線形領域と線形領域に隣接する傾斜領域を含む第一及び第二のアームと、第一及び第二のアームを二つの異なる指向性関係で締め付ける二つの締付具とを備える自転車のための取付容易装置（特許文献１参照）などが知られている。
【先行技術文献】
【特許文献】
【０００３】
【特許文献１】米国特許出願公開第２００５／２７４７５８号明細書
【発明の概要】
【発明が解決しようとする課題】
【０００４】
ところが、自転車のための取付容易装置は、自転車の運転者が支持台に幼児座席またはペットキャリアを取り付けて、この幼児座席またはペットキャリアに幼児またはペットを乗せて移動した先において一時的に幼児座席またはペットキャリアを使用しない時に、運転者が自転車を快適に運転するために支持台を取り外すためには工具が必要で、また、取り外した支持台を一時的に保管する場所を確保することが難しいという問題がある。
【０００５】
本発明は、自転車の運転者が自転車のサドルとハンドルとの間に配置される自転車用キャリアを一時的に使用しない時に、運転者が自転車を快適に運転するため、自転車用キャリアを自転車のシートポストまたはシートチューブを軸心にサドルの後方に転回することができる自転車用キャリア取付手段を提供することにある。
【課題を解決するための手段】
【０００６】
上記課題を解決するための手段として本発明は、自転車のサドルとハンドルとの間に配置される自転車用キャリアを自転車に取り付けるための自転車用キャリア取付手段は、支持部と、左右一対の接続金具と、水平竿と、自転車のシートポストに回転自在に取り付けて固定及び固定解除が可能なシートポストクランプとを備え、支持部は、自転車のシートポストの下側またはシートチューブの上側に回転自在に取り付けて固定及び固定解除が可能なクランプと、クランプの前側から自転車のハンドルに向かって延びる支持竿とを備え、シートポストクランプの前側と水平竿の後端部とは前後方向に回転自在に接続され、水平竿の中央付近の左右両側と接続金具の上側の端部とは前後方向に回転自在に接続され、接続金具の下側の端部と支持竿の前端部の左右両側とは前後方向に回転自在に接続され、自転車のサドルとハンドルとの間に配置される自転車用キャリアを、自転車のシートポストまたはシートチューブを軸心にサドルの後方に転回することができる。
【発明の効果】
【０００７】
本発明によれば、自転車の運転者が自転車のサドルとハンドルとの間に配置される自転車用キャリアを一時的に使用しない時に、自転車用キャリアを自転車のシートポストまたはシートチューブを軸心にサドルの後方に転回することにより、運転者が自転車を快適に運転することができる。
【図面の簡単な説明】
【０００８】
【図１】本発明の一実施形態として自転車のサドルとハンドルとの間に配置される幼児座席と、この幼児座席を自転車に取り付けるための取付手段の分解斜視図である。
【図２】図１の幼児座席と取付手段の組立斜視図である。
【図３】図２の幼児座席と取付手段を、自転車に装着した状態の側面図である。
【図４】図３の幼児座席を、自転車のサドルの後方に転回する直前の状態を示す側面図である。
【図５】図４の状態の幼児座席を、自転車のシートポストを軸心にサドルの後方に転回した状態を示す側面図である。
【発明を実施するための形態】
【０００９】
以下、本発明の一実施形態を、図１から５に基づいて説明する。
図１は、自転車のサドルとハンドルとの間に配置される幼児座席と、この幼児座席を自転車に取り付けるための取付手段の分解斜視図である。
幼児座席は、座部１とステップ部２とを備え、座部１は、幼児が着座する略水平の座部底面部３と、座部底面部３の後端部から上方に向かって延びる座部後壁部４と、座部底面部３の左右両側から上方に向かって延びる座部側壁部５とを備え、ステップ部２は、幼児が前下方に伸ばした足を置く略水平のステップ部底面部６と、ステップ部底面部６の後端部から斜め後上方に向かって延びるステップ部後壁部７と、ステップ部底面部６の左右両側から斜め後上方に向かって延びるステップ部側壁部８とを備え、ステップ部底面部６の左右方向中央に、自転車の傾斜したトップチューブ９に係合するトップチューブ収容凹部１０が形成され、座部底面部３の前端部とステップ部後壁部７の上端部には前後方向に回転自在に接続されるヒンジ部１１が形成され、ヒンジ部１１の左右両端に座部１とステップ部２とを任意の角度で固定するヒンジ部固定構造１２を備える。
取付手段は、支持部１３と、左右一対の接続金具１４と、水平竿１５と、自転車のシートポスト１６に回転自在に取り付けて固定及び固定解除が可能なシートポストクランプ１７とを備える。支持部１３は、自転車のシートポスト１６の下側またはシートチューブ２０の上側に回転自在に取り付けて固定及び固定解除が可能なクランプ１８と、クランプ１８の前側から自転車のハンドルに向かって延びる支持竿１９とを備え、支持竿１９の前端部に左右方向に接続軸２１を挿通する接続軸挿通孔２２が形成される。接続金具１４は、支持竿１９の前端部と水平竿１５の中央付近とを左右両側から挟み込むように配置され、上下両端部に上下一組の接続軸２１のそれぞれの左右両端部が固定される接続軸固定孔２３が形成される。水平竿１５は、後端部と中央付近に左右方向に接続軸２１を挿通する接続軸挿通孔２２がそれぞれ形成される。シートポストクランプ１７は、前側に水平竿１５の後端部の左右両側を挟み込むように前方に突出する左右一対の水平竿接続突起２４が設けられ、水平竿接続突起２４は、接続軸２１の左右両端部が固定される接続軸固定孔２３がそれぞれ形成される。
【００１０】
支持竿１９の前側には、左右両側の基端部からそれぞれ外方に向かって延び、中央付近が支持竿１９と平行に座部側壁部５の外側を囲むように自転車のハンドルに向かって延び、末端側が自転車のハンドル近傍で上方に向かって延び、末端部がハンドル近傍の上方中央で接続されるグリップハンドル竿２５を設けることもできる。
【００１１】
図２は、図１の幼児座席と取付手段の組立斜視図である。
シートポストクランプ１７の前側と水平竿１５の後端部との接続は、水平竿１５の後端部の左右両側を左右一対の水平竿接続突起２４との間に挟みこむように配置し、水平竿接続突起２４に設けられる一方の接続軸固定孔２３から接続軸２１が差し込まれ、水平竿１５の後端部に形成される接続軸挿通孔２２を通して他方の接続軸固定孔２３に差し込まれて固定され、シートポストクランプ１７の前側に設けられる水平竿接続突起２４に固定される接続軸２１と水平竿１５の後端部とは前後方向に回転自在に接続される。
水平竿１５の中央付近の左右両側と接続金具１４の上側の端部との接続は、水平竿１５の中央付近の左右両側を左右一対の接続金具１４の上側で挟みこむように配置し、接続金具１４の上端部に形成される一方の接続軸固定孔２３から接続軸２１が差し込まれ、水平竿１５の中央付近に形成される接続軸挿通孔２２を通して他方の接続軸固定孔２３に差し込まれて固定され、左右両側の接続金具１４の上側に固定される接続軸２１と水平竿１５の中央付近とは前後方向に回転自在に接続される。
接続金具１４の下側の端部と支持竿１９の前端部の左右両側との接続は、支持竿１９の前端部の左右両側を左右一対の接続金具１４の下側で挟み込むように配置し、接続金具１４の下端部に形成される一方の接続軸固定孔２３から接続軸２１が差し込まれ、支持竿１９の前端部に形成される接続軸挿通孔２２を通して他方の接続軸固定孔２３に差し込まれて固定され、左右両側の接続金具１４の下側に固定される接続軸２１と支持竿１９の前端部とは前後方向に回転自在に接続される。
水平竿１５と座部１との接続は、水平竿１５の前側と座部底面部３に設けられる固定接続構造により接続される。
【００１２】
図３は、図２の幼児座席と取付手段を自転車に装着した状態の側面図で、シートポストクランプ１７をシートポスト１６の上側に取り付けて固定し、クランプ１８をシートポスト１６の下側に取り付けて固定し、トップチューブ９の上にステップ部２に形成されるトップチューブ収容凹部１０を載置している。
【００１３】
図４は、図３の幼児座席を自転車のサドルの後方に転回する直前の状態を示す側面図で、ステップ部２はヒンジ部固定構造１２の固定が解除されて後方に転回され、クランプ１８とシートポストクランプ１７は固定が解除されて回転自在となり、シートポストクランプ１７はシートポスト１６の下方に移動されている。
【００１４】
図５は、図４の状態の幼児座席を自転車のシートポスト１６を軸心にサドルの後方に転回した状態を示す側面図で、ステップ部２はステップ部後壁部７が略平行となる位置まで転回されてヒンジ部固定構造１２により固定され、クランプ１８とシートポストクランプ１７はシートポスト１６に固定されている。
【符号の説明】
【００１５】
１  座部
２  ステップ部
３  座部底面部
４  座部後壁部
５  座部側壁部
６  ステップ部底面部
７  ステップ部後壁部
８  ステップ部側壁部
９  トップチューブ
１０  トップチューブ収容凹部
１１  ヒンジ部
１２  ヒンジ部固定構造
１３  支持部
１４  接続金具
１５  水平竿
１６  シートポスト
１７  シートポストクランプ
１８  クランプ
１９  支持竿
２０  シートチューブ
２１  接続軸
２２  接続軸挿通孔
２３  接続軸固定孔
２４  水平竿接続突起
２５  グリップハンドル竿
【図１】
2018154246.tif 000003
【図２】
2018154246.tif 000004
【図３】
2018154246.tif 000005
【図４】
2018154246.tif 000006
【図５】
2018154246.tif 000007